(57)【特許請求の範囲】
【請求項１】
中央部に孔部が形成され上記孔部にボルト状の電極端子が挿通されるワッシャが有する、径方向外方に向かい突出形成されたタブと係脱自在であり、係合時にこのワッシャが取り付けられる電池から測定手段へと配線を介して電流を導通させるメールタブにおいて、
上記タブを挿通させてこれを係止する凹部と、
上記凹部に上記タブが挿通された場合にこのタブと電気的に接続され、かつ上記配線を過電流から保護するヒューズと、
上記ヒューズと直列に設けられ、上記電池に接続された負荷での電圧変動を防止する抵抗体とを具備することを特徴とするメールタブ。
【請求項２】
電池の端子に取り付けられ、この電池からワッシャとメールタブを介して測定手段に電流を導通させる接続部材において、
上記ワッシャは、
その中央部に設けられた、上記端子が挿通される孔部と、
径方向外方に向かい突出形成されたタブとを有し、
上記メールタブは、
上記タブを挿通させてこれを係止する凹部と、
上記凹部に上記タブが挿通された場合にこのタブと電気的に接続され、かつ上記配線を過電流から保護するヒューズと、
上記ヒューズと直列に設けられ、上記電池に接続された負荷での電圧変動を防止する抵抗体とを具備することを特徴とする接続部材。
【発明の詳細な説明】
【０００１】
【発明の属する技術分野】
本発明は、電池電圧計測線及び負荷電圧等の検出線の簡易接続用端子として用いられるメールタブ、及びこれを用いた接続部材に関する。
【０００２】
【従来の技術】
例えば電話回線の交換局等においては、何らかの事情で電力供給が停止した場合でもその回線使用を確保しておく必要があり、そのためのバックアップ用電源として鉛蓄電池が用いられている。この場合、鉛蓄電池は外部電力或いは太陽発電によって充電されて十分な蓄電がなされ、それによってこのバックアップ用電源を上述の如き電力供給停止という非常事態に備えている。
【０００３】
ここで、上述の如く充電された鉛蓄電池の性能を維持するためには、その鉛蓄電池の性能を日頃から確認、把握しておく必要があり、そのためにこの鉛蓄電池の端子電圧の計測を一般に行っている。しかしながら、端子電圧の計測は鉛蓄電池が設けられた部位で行う場合もあるが、そこから離間した位置で行うこともあり、またその計測も自動的に行う場合がある。
【０００４】
このように計測を自動的に行うときには電池の端子に電圧計測用の配線を取り付け、その配線をさらに離間した場所に設けられた測定装置へ接続して遠隔の場合での端子電圧の計測を行っている。
【０００５】
この場合、電池端子はボルトナットワッシャ式となっており、この端子に用いられるワッシャはリング状を為して単に配線等を介在させる機能を果たしている。
【０００６】
【発明が解決しようとする課題】
ところで、上述の如く電池端子はボルトナットワッシャ式となっているので、運用中の電池に計測線を取り付ける場合には、ボルトを緩めると共にこの電池端子に接続されている負荷や充電器をこの電池への接続状態から切り離す必要が生じる。このため、その作業に手間を要すると共に、その運用に中断を生じさせてしまうといった問題がある。
【０００７】
また、電池を運用している場合に、接続されている計測線に短絡が生じてこの計測線に許容値を超えた電流が流れることがあり、その場合には火災を引き起こしてしまうことがある。
【０００８】
さらに、電池をフロート充電している場合に接続されている計測線に短絡が生じて、この計測線に大電流が分流することがあり、その負荷電圧が小さくなる等電圧変動を起こすなどの支障を来すことがある。
【０００９】
本発明は上記の事情に基づきなされたもので、その目的とするところは、電池端子のボルトナットワッシャを外すことなく配線が接続できて計測が行え、また短絡時に生じる大電流により生じる負荷電圧の変動を抑制可能なメールタブ、及びこれを用いた接続部材を提供しようとするものである。
【００１０】
【課題を解決するための手段】
上記課題を解決するために、請求項１記載の発明は、中央部に孔部が形成され上記孔部にボルト状の電極端子が挿通されるワッシャが有する、径方向外方に向かい突出形成されたタブと係脱自在であり、係合時にこのワッシャが取り付けられる電池から測定手段へと配線を介して電流を導通させるメールタブにおいて、上記タブを挿通させてこれを係止する凹部と、上記凹部に上記タブが挿通された場合にこのタブと電気的に接続され、かつ上記配線を過電流から保護するヒューズと、上記ヒューズと直列に設けられ、上記電池に接続された負荷での電圧変動を防止する抵抗体とを具備することを特徴とするメールタブである。
【００１１】
請求項２記載の発明は、電池の端子に取り付けられ、この電池からワッシャとメールタブを介して測定手段に電流を導通させる接続部材において、上記ワッシャは、その中央部に設けられた、上記端子が挿通される孔部と、径方向外方に向かい突出形成されたタブとを有し、上記メールタブは、上記タブを挿通させてこれを係止する凹部と、上記凹部に上記タブが挿通された場合にこのタブと電気的に接続され、かつ上記配線を過電流から保護するヒューズと、上記ヒューズと直列に設けられ、上記電池に接続された負荷での電圧変動を防止する抵抗体とを具備することを特徴とする接続部材である。
【００１４】
請求項１記載の発明によると、上記タブを挿通させてこれを係止する凹部と、上記凹部に上記タブが挿通された場合にこのタブと電気的に接続され、かつ上記配線を過電流から保護するヒューズと、上記ヒューズと直列に設けられ、上記電池に接続された負荷での電圧変動を防止する抵抗体とを具備する構成であるため、タブを凹部に挿通させた場合には、このタブとヒューズや抵抗体が電気的に接続され、測定手段に電流を導通させることが可能となる。
【００１５】
また、ヒューズが設けられているので、配線同士が短絡を生じた場合でも、このヒューズが溶断することで、電流の導通を即座に遮断できる。このため、許容値を超えた電流が流れることで火災を引き起こすのを防止することができる。
【００１６】
更に、電池をフロート充電している場合に、配線同士が短絡を起こしても、抵抗体が設けられてこの抵抗体を電流が導通する構成であるため、大電流がメールタブに導通することで、電池に接続された他の負荷に生じる電圧変動を防止することができる。
【００１７】
請求項２の発明によると、上記ワッシャは、その中央部に設けられた、上記端子が挿通される孔部と、径方向外方に向かい突出形成されたタブとを有し、上記メールタブは、上記タブを挿通させてこれを係止する凹部と、上記凹部に上記タブが挿通された場合にこのタブと電気的に接続され、かつ上記配線を過電流から保護するヒューズと、上記ヒューズと直列に設けられ、上記電池に接続された負荷での電圧変動を防止する抵抗体とを具備する構成であるため、測定手段に対する接続を容易にすることが可能となると共に、大電流の導通による火災の防止や電圧変動を防止することが可能となる。
【００１８】
【発明の実施の形態】
以下、本発明の一実施の形態について、図１ないし図３に基づいて説明する。
本発明の接続部材１は、図１に示すように、例えば鉛蓄電池２０の如き電極端子２１を有する電池と測定装置とを接続するものであり、平形接続端子付きワッシャ１０とメールタブ３０により構成されている。
【００１９】
図２に示す平形接続端子付きワッシャ１０は、中央に鉛蓄電池の電源端子の挿通を行い得る挿通孔１１を有しており、その周囲はリング状部１２となっている。
【００２０】
このリング状部１２のうち所定部位には、この径方向外方に向かってタブ１３が形成されている。このタブ１３は、図１に示す鉛蓄電池２０の電極端子２１にナット２２を嵌め合わせた場合でも、後述するメールタブ３０との接続を十分確保できるように所定寸法外方に向かい突出形成されている。
【００２１】
このような平形接続端子付きワッシャ１０のタブ１３と係止される図３に示すメールタブ３０は、絶縁体より構成される筐体３１の一端側にこの軸方向に沿った凹部３２が形成されている。この凹部３２は、上記タブ１３を十分挿通させることが可能な大きさに形成されており、またこの凹部３２の内壁面の上下両側には、タブ１３と接触状態を保ちながらこれを係止する係止部材３３が設けられている。
【００２２】
この係止部材３３は、導電性を有する必要があるため金属薄板を折り曲げてこの金属板の板バネ効果を利用してタブ１３の係止を行うものである。しかしながら、この係止部材３３は種々の形状が考えられ、図３に示す形状はその一例である。この場合には、凹部３２の奥側で係止部材３３は凹部３２内壁面に取り付けられ、そこから折り曲げ部分が形成されて凹部３２出口に向かいこの係止部材３３が延出する構成である。この場合、タブ１３の挿入具合を良好にするために、上記係止部材３３の出口側端部を傾斜若しくは丸める構成となっている。
【００２３】
上記凹部３２の内壁面側、特に係止部材３３の取付け部分からヒューズ３６の端子の一端側へ向かい、導電性を十分確保した導電部３４が形成されている。そしてこの導電部３４の末端側からこの筐体３１の長手方向に沿った他端側に向かい、所定の深さだけ孔部３５が形成されている。孔部３５の凹部３２底面側端部には、上記ヒューズ３６の端子の一端側３６ａが設けられて導電部３４と電気的に接続すると共にこの孔部３５の凹部３２への開放を塞いでおり、またこの孔部３５の他端側へ所定だけ進行した位置には端子の他端側３６ｂが設けられている。
【００２４】
そして、この端子の一端側３６ａと他端側３６ｂの間にはヒューズ３６の溶断部３６ｃが取り付けられ、過大電流が流通した場合に切断される仕組みとなっている。
【００２５】
端子の他端側３６ｂから孔部３５の他端側に向かい、抵抗体３７が設けられている。抵抗体３７の有する抵抗値は、鉛蓄電池２０に接続された種々の負荷に流通する電流が減少してそれによって電圧変動を引き起こさないよう、十分な大きさに設定されている。
【００２６】
抵抗体３７の他端側端子３７ｂには、不図示の測定装置へと接続される配線３８が接続されている。すなわち、鉛蓄電池２０の電圧測定では、この鉛蓄電池２０の電極端子２１から平形接続端子付きワッシャ１０、係止部材３３、導電部３４、ヒューズ３６及び抵抗体３７を介して電流が流通される構成となっている。
【００２７】
以上のような平形接続端子付きワッシャ１０とメールタブ３０とからなる接続部材１によれば、平形接続端子付きワッシャ１０には径方向外方に向かい突出したタブ１３が形成されているため、これを電極端子２１に嵌め合わせ、このタブ１３にメールタブ３０を接続することで、一々電極端子２１に嵌め合わされるナット２２を緩めてこの電極端子２１に取り付けられている外部の負荷等の配線を外す必要がなくなる。
【００２８】
それによって、該負荷の運用の中断を生じさせることがなく、またナット２２を緩める必要がなくなるため、測定装置の接続のための手間が低減される。
また、このタブ１３とメールタブ３０の凹部３２に形成された係止部材３３とが接触状態を保ちながら係止されて通電性を確保するので、タブ１３と係止した後には接触不良が生じて通電性が不安定になることが防止でき、それによって通電性の安定化を図ることができる。
【００２９】
更に、メールタブ３０にはヒューズ３６が設けられているので、仮に測定装置の配線同士が短絡を起こした場合でも、このヒューズ３６の溶断部３６ｃが溶断することで、電流の導通を即座に遮断できる。このため、許容値を超えた電流が流れることにより、火災の発生を引き起こすのを防止することができる。
【００３０】
また、メールタブ３０には負荷に比較して十分な大きさの抵抗値を有する抵抗体３７が設けられていて、鉛蓄電池２０からの電流はこの抵抗体２０を導通する構成であるため、大電流がメールタブ３０に導通することにより生じる電圧変動を防止することが可能となる。
【００３１】
以上、本発明の一実施の形態について説明したが、本発明はこれ以外にも種々変形可能となっている。以下それについて述べる。
上記実施の形態では、係止部材３３は金属薄板を折り曲げ形成したものであるが、タブ１３との接触を確保できるものであれば、一方を接点方式にし、また他方には導電性を有しないゴムなどの絶縁部材で係止する構成としても構わない。
【００３２】
また、平形接続端子付きワッシャ１０の形状もこれに限られず、種々のものが考えられる。
その他、本発明の要旨を変更しない範囲において種々変形可能となっている。
【００３４】
【発明の効果】
以上説明したように、本発明のメールタブによると、上記タブを挿通させてこれを係止する凹部と、この凹部に上記タブが挿通された場合にこのタブと電気的に接続され、かつ配線を過電流から保護するヒューズと、このヒューズと直列に設けられ電池に接続された負荷での電圧変動を防止する抵抗体を具備するため、タブを凹部に挿通させた場合には、このタブとヒューズや抵抗体が電気的に接続され、測定手段に電流を導通させることが可能となる。
【００３５】
また、ヒューズが設けられているので、配線同士が短絡を生じた場合でも、このヒューズが溶断して電流の導通を即座に遮断できる。このため、許容値を超えた電流が流れることで火災を引き起こすのを防止できる。
【００３６】
更に、電池をフロート充電している場合に配線同士が短絡を起こしても、抵抗体が設けられてこの抵抗体を電流が導通するので、大電流がメールタブに導通することで、電池に接続された他の負荷に生じる電圧変動を防止することができる。
【図面の簡単な説明】
【図１】本発明の一実施の形態に係わる鉛蓄電池と接続部材の接続状況を示す図。
【図２】同実施の形態に係わる平形接続端子付きワッシャの形状を示す平面図。
【図３】同実施の形態に係わるメールタブの形状を示す側断面図。
【符号の説明】
１…接続部材
１０…平形接続端子付きワッシャ
１３…タブ
２０…鉛蓄電池
２１…電極端子
３０…メールタブ
３１…筐体
３２…凹部
３３…係止部材
３４…導電部
３５…孔部
３６…ヒューズ
３７…抵抗体
３８…配線
【図１】
0003703973.tif 000002
【図２】
0003703973.tif 000003
【図３】
0003703973.tif 000004